(57)【要約】【課題】筐体の外観の美しさを維持しつつ、取り外しが容易なねじ孔部を被覆する蓋部材を備える電子機器を提供すること。【解決手段】ねじ部材２５により互いに接合される第１ケース２１及び第２ケース２２を有する筐体２と、前記筐体２に形成される凹部９と、前記筐体９の内部に配置され外部装置と接続可能な接続部Ｋと、前記凹部９に形成され前記接続部Ｋを露出させる第１開口部９４と、前記凹部９に形成され前記ねじ部材２５が挿入されるねじ孔部９５と、前記第１開口部９４及び前記ねじ孔部９５を被覆する閉状態と前記第１開口部９４を被覆しない開状態との間で移動可能に前記筐体９に取り付けられる蓋部材１００と、を備える。【選択図】図７
2009246551.tif 000002
【特許請求の範囲】
【請求項１】
ねじ部材により互いに接合される第１ケース及び第２ケースを有する筐体と、
前記筐体に形成される凹部と、
前記筐体の内部に配置され外部装置と接続可能な接続部と、
前記凹部に形成され前記接続部を露出させる第１開口部と、
前記凹部に形成され前記ねじ部材が挿入されるねじ孔部と、
前記第１開口部及び前記ねじ孔部を被覆する閉状態と前記第１開口部を被覆しない開状態との間で移動可能に前記筐体に取り付けられる蓋部材と、を備えることを特徴とする電子機器。
【請求項２】
前記ねじ孔部は、前記凹部の一端側に形成され、
前記第１開口部は、前記凹部の他端側に前記ねじ孔部と離間して形成されることを特徴とする請求項１に記載の電子機器。
【請求項３】
前記蓋部材は、前記凹部を被覆する蓋部と、前記蓋部と一体に構成されて前記筐体に取り付けられる取付部と、を有し、
前記凹部は、前記第１開口部と前記ねじ孔部との間に、前記取付部が取り付けられる被取付部を有することを特徴とする請求項１または２に記載の電子機器。
【請求項４】
前記凹部は、略縦長形状に形成され、長手方向に延びる第１の面と、前記長手方向に延びると共に前記第１の面と交差する第２の面と、前記ねじ孔部が形成される前記長手方向における一端側に設けられ前記第１の面及び前記第２の面と交差する第３の面と、前記第１開口部が形成される前記長手方向における他端側に設けられ前記第１の面及び前記第２の面と交差する第４の面と、を有し、
前記蓋部の前記長手方向における一端部には、前記閉状態において、前記第３の面と当接する壁部が設けられることを特徴とする請求項３に記載の電子機器。
【請求項５】
前記第１の面は、前記ねじ部材の挿入方向と直交する方向に延びるように形成されると共に、前記ねじ孔部及び前記被取付部を有し、
前記被取付部は、前記長手方向における前記第１開口部と前記ねじ孔部との間に形成され、
前記凹部が有する面のうち、前記長手方向で前記被取付部に対応する箇所に、前記外部装置に対する案内表示が示される案内部が設けられることを特徴とする請求項４に記載の電子機器。
【発明の詳細な説明】
【技術分野】
【０００１】
本発明は、携帯電話機等の電子機器に関する。特に、筐体のねじ孔を遮蔽する蓋部材を備えた電子機器に関する。
【背景技術】
【０００２】
近年、電子機器の１つである携帯電話機は、筐体の小型化や薄型化が進むと共に、美しさや高級感等のデザイン性を向上させたものが求められている。例えば、筐体を構成するフロントケースとリアケースの嵌合に使用されるねじ部材は、携帯電話機の外観に直接現れている場合、携帯電話機の外観の美しさや高級感等を著しく低下させる場合があった。
【０００３】
これに対し、筐体と同色の蓋部材を用いて、ねじ部材によりフロントケースとリアケースを接合させた後に、ねじ孔に蓋部材を嵌挿してねじ孔及びねじ部材を隠し、携帯電話機の外観の美しさや高級感を向上させた携帯電話機が開示されている（例えば、特許文献１参照）。
【特許文献１】特開２００２−３０５５６９号公報
【発明の開示】
【発明が解決しようとする課題】
【０００４】
しかしながら、特許文献１に記載の携帯電話機は、ゴム等の弾性材料やプラスチック等の合成樹脂材料により形成した蓋部材をねじ孔に直接嵌め込む構成としている。そのため、筐体から蓋部材を取り外す場合に、針やピンセット等の先端のとがった道具を使用する必要があり、取り外し作業により、蓋部材自体やねじ孔の周囲等を傷つけてしまうおそれがあった。外観を美しくするためにねじ孔に蓋部材を嵌め込んだにも拘わらず、筐体を傷つけてしまうおそれがあるという問題があった。
【０００５】
本発明は、筐体の外観の美しさを維持しつつ、取り外しが容易なねじ孔を被覆する蓋部材を備える電子機器を提供することを目的とする。
【課題を解決するための手段】
【０００６】
本発明の電子機器は、ねじ部材により互いに接合される第１ケース及び第２ケースを有する筐体と、前記筐体に形成される凹部と、前記筐体の内部に配置され外部装置と接続可能な接続部と、前記凹部に形成され前記接続部を露出させる第１開口部と、前記凹部に形成され前記ねじ部材が挿入されるねじ孔部と、前記第１開口部及び前記ねじ孔部を被覆する閉状態と前記第１開口部を被覆しない開状態との間で移動可能に前記筐体に取り付けられる蓋部材と、を備えることを特徴とする。
【０００７】
ここで、外部装置とは、電子機器と接続可能な装置をいい、例えば、メモリカード等のような記憶媒体を含む。また、外部装置を直接接続するものの他に、例えば、イヤホンや充電器のようにコネクタを用いて接続するものも含むものとする。
【０００８】
また、前記ねじ孔部は、前記凹部の一端側に形成され、前記第１開口部は、前記凹部の他端側に前記ねじ孔部と離間して形成されることが好ましい。
【０００９】
また、前記蓋部材は、前記凹部を被覆する蓋部と、前記蓋部と一体に構成されて前記筐体に取り付けられる取付部と、を有し、前記凹部は、前記第１開口部と前記ねじ孔部との間に、前記取付部が取り付けられる被取付部を有することが好ましい。
【００１０】
また、前記凹部は、略縦長形状に形成され、長手方向に延びる第１の面と、前記長手方向に延びると共に前記第１の面と交差する第２の面と、前記ねじ孔部が形成される前記長手方向における一端側に設けられ前記第１の面及び前記第２の面と交差する第３の面と、前記第１開口部が形成される前記長手方向における他端側に設けられ前記第１の面及び前記第２の面と交差する第４の面と、を有し、前記蓋部の前記長手方向における一端部には、前記閉状態において、前記第３の面と当接する壁部が設けられることが好ましい。
【００１１】
また、前記第１の面は、前記ねじ部材の挿入方向と直交する方向に延びるように形成されると共に、前記ねじ孔部及び前記被取付部を有し、前記被取付部は、前記長手方向における前記第１開口部と前記ねじ孔部との間に形成され、前記凹部が有する面のうち、前記長手方向で前記被取付部に対応する箇所に、前記外部装置に対する案内表示が示される案内部が設けられることが好ましい。
【発明の効果】
【００１２】
本発明によれば、本発明は、取り外しが容易なねじ孔を被覆する蓋部材を備える電子機器を提供することができる。
【発明を実施するための最良の形態】
【００１３】
以下、本発明を実施するための好ましい一実施形態について、図面を参照しながら説明する。まず、本発明の電子機器の一実施形態である携帯電話機１の基本構造について、図１から４を参照しながら説明する。
【００１４】
図１は、携帯電話機１を開いた状態における正面側から見た外観斜視図である。図２は、携帯電話機１を開いた状態における裏面側から見た外観斜視図である。図３は、携帯電話機１を折り畳んだ状態を表示部側筐体から見た外観斜視図である。図４は、携帯電話機１を折り畳んだ状態を操作部側筐体（筐体）から見た外観斜視図である。
【００１５】
本実施形態における携帯電話機１は、図１から図４に示すように、折り畳み型の携帯電話機１であり、略直方体形状の操作部側筐体２と、略直方体形状の表示部側筐体３と、操作部側筐体２と表示部側筐体３とを連結する連結部４と、を備える。
【００１６】
操作部側筐体２の長手方向Ｙにおける上端部と表示部側筐体３の長手方向Ｙにおける下端部とは、連結部４を介して開閉可能に連結されている。つまり、連結部４は、表示部側筐体３と操作部側筐体２とを開閉軸Ｘを中心に開閉可能に連結している。携帯電話機１は、連結部４を介して連結された操作部側筐体２と表示部側筐体３とを相対的に回転（回動）することにより、操作部側筐体２と表示部側筐体３とを互いに開いた状態にしたり、操作部側筐体２と表示部側筐体３とを折り畳んだ状態にしたりすることができる。
【００１７】
次に、表示部側筐体３の詳細について説明する。表示部側筐体３は、図１から図３に示すように、その外面が、フロントケース３０ａ及びリアケース３０ｂを主体として構成される。
【００１８】
表示部側筐体３の前面３ａは、フロントケース３０ａ及びフロントパネル３３を主体として構成されている。前面３ａは、携帯電話機１を折り畳んだ状態で操作部側筐体２と隣接する面である。表示部側筐体３の背面３ｂは、リアケース３０ｂを主体として構成されている。背面３ｂは、前面３ａの対面である。
【００１９】
表示部側筐体３内には、各種情報を表示させるメイン液晶モジュール３４が配置されており、メイン液晶モジュール３４は、その一方の面に設けられたメイン表示部３４ａが、透明部分を主体とするフロントパネル３３を介して、フロントケース３０ａに形成された開口部から表示部側筐体３の前面３ａに露出するように配置されている。
【００２０】
また、フロントケース３０ａには、通話の相手側における音声を出力する音声出力部３１が形成されている。音声出力部３１は、表示部側筐体３の長手方向Ｙにおける連結部４とは反対の端部側に配置される。つまり、音声出力部３１は、携帯電話機１が折り畳まれた状態における表示部側筐体３側の端部近傍に配置される。
【００２１】
表示部側筐体３のリアケース３０ｂ側には、図２及び図３に示すように、各種情報を表示させるサブ液晶モジュール３６が配置されており、サブ液晶モジュール３６は、その一方の面に設けられたサブ表示部３６ａが、リアケース３０ｂの透明部分を介して表示部側筐体３の背面３ｂに露出するように配置されている。
【００２２】
メイン液晶モジュール３４及びサブ液晶モジュール３６は、それぞれ、メイン表示部３４ａ及びサブ表示部３６ａを構成する液晶パネル、この液晶パネルを駆動する駆動回路、この液晶パネルの背面側から光を照射するバックライト等の光源部などから構成される。
【００２３】
次に、操作部側筐体２の詳細について、図１から図８を参照しながら説明する。図５は、図１に示す操作部側筐体２の分解斜視図である。図６は、操作部側筐体２のリアケース２２に形成された凹部９の正面図である。図７は、操作部側筐体２のリアケース２２に形成された凹部９の斜視外観図である。図８は、蓋部材である第１キャップ１００の内面側から見た斜視外観図である。
【００２４】
操作部側筐体２は、図５に示すように、その外面が、第１ケースであるフロントケース２１及び第２ケースであるリアケース２２を主体として構成されている。つまり、フロントケース２１及びリアケース２２は、操作部側筐体２の外面を形成する。フロントケース２１とリアケース２２とは、凹状の内側面を向き合うように配置させ、互いの外周縁を重ね合わせた後、複数のねじ部材２５により接合される。
【００２５】
フロントケース２１は、操作部側筐体２の前面２ａ側を構成する（図１参照）。なお、操作部側筐体２の前面２ａは、携帯電話機１を折り畳んだ状態で表示部側筐体３と向かい合う面である。
【００２６】
フロントケース２１における操作部側筐体２の前面２ａ側には、キー孔１３ａ、１４ａ、１５ａが形成されている。キー孔１３ａ、１４ａ、１５ａは、キー孔１３ａ、１４ａ、１５ａのそれぞれから操作キー群１１の押圧面が前面２ａに露出するように構成されている。
【００２７】
操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。
【００２８】
操作キー群１１を構成する各キーそれぞれには、操作部側筐体２と表示部側筐体３との開閉状態（携帯電話機１が開かれたり閉じられたりした状態のこと。）や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２９】
操作部側筐体２の前面２ａには、携帯電話機１の使用者が通話時に発した音声が入力される音声入力部１２が形成されている。音声入力部１２は、操作部側筐体２の長手方向Ｙにおける連結部４とは反対側の端部近傍に配置される。つまり、音声入力部１２は、携帯電話機１が折り畳まれていない状態において長手方向Ｙの一方の端部側に配置される。
【００３０】
フロントケース２１の内面側（露出される側と反対側の面）には、ねじ部材２５が螺合される螺合孔（図示せず）が形成される。螺合孔は、操作部側筐体２の連結部４側であってフロントケース２１の幅方向Ｘにおける両側に形成される。
【００３１】
リアケース２２は、反対側の面である背面２ｂ側を構成する（図１及び図２参照）。リアケース２２の内面側には、バッテリＱがリアケース２ｂの外側から装脱可能に収容されるバッテリ収納部２３が形成される。バッテリ収納部２３は、リアケース２２の長手方向Ｙにおける一方側（操作部側筐体２の下端部側）に形成される。
【００３２】
バッテリ収納部２３は、フロントケース２１とリアケース２２との接合により操作部側筐体２が形成された状態において、リアケース２２の厚さ方向Ｚにおける一方側（後述のシールドケース７０の側）がシールドケース７０の下面によって構成される（図５参照）。一方、バッテリ収納部２３の厚さ方向Ｚにおける他方側には、リアケース２２と取り外し可能な後述のバッテリリッド２４が配置され、バッテリＱ収容後、バッテリリッド２４により閉蓋される（図５参照）。
【００３３】
リアケース２２の幅方向Ｘにおける一方側の側面Ｘ１の端部には、長手方向Ｙにおいて縦長状に形成された後述の凹部９が設けられる（図４参照）。凹部９は、操作部側筐体２における上端部側に形成される。凹部９には、第１開口部９４と、第１ねじ孔９５（ねじ孔部）と、第２開口部９６（被取付部）と、案内部９７と、が形成される（図７参照）。第１開口部９４は、外部装置であるメモリカードＭの挿入及び取り出しが行われる接続部であるコネクタＫを露出させる。第１ねじ孔９５は、フロントケース２１及びリアケース２２を接合させるねじ部材２５が挿入される。第２開口部９６は、後述の蓋部材である第１キャップ１００に設けられた腕部１１０（取付部）が挿入される。案内部９７は、第１開口部９４がメモリカードＭの挿入口であることをユーザへ示す表示を有する。また、案内部９７は、メモリカードＭの挿入方向を示す。
【００３４】
なお、凹部９は、第１キャップ１００により被覆される（閉状態）。これにより、第１キャップ１００は、第１開口部９４と、第１ねじ孔９５を被覆する。
【００３５】
リアケース２２の幅方向Ｘにおける他方側の側面Ｘ２には、所定の機能が割り当てられているサイドキー１６と、外部機器（例えば、ホスト装置）と通信を行うためのインターフェース（図示せず）と、フロントケース２１及びリアケース２２を接合させるねじ部材２５が挿入される第２ねじ孔（図示せず）が配置されており、インターフェースは、キャップ（図示せず）により覆われる（図１参照）。また、第２ねじ孔には、第２キャップ２６が嵌挿される。なお、前記インターフェースは、前記第１開口部９４に設けられても良い。
【００３６】
次に、操作部側筐体２の内部構造について説明する。操作部側筐体２は、図５に示すように、主回路基板８０と、縦長のシールドケース７０と、キー基板６０と、キー部材５０と、バッテリＱとを備える。主回路基板８０と、縦長のシールドケース７０と、キー基板６０と、キー部材５０と、バッテリＱとは、フロントケース２１とリアケース２２との間に挟まれるようにして内蔵される。具体的には、主回路基板８０を覆うようにしてシールドケース７０が積層配置され、また、シールドケース７０にキー基板６０が積層配置され、キー基板６０にキー部材５０が積層配置される。
【００３７】
主回路基板８０は、基準電位パターン層及び携帯電話機用のＲＦ（Ｒａｄｉｏ  Ｆｒｅｑｕｅｎｃｙ）モジュール等の各種電子部品を実装する。主回路基板８０の第１実装面８０ａ側（リアケース２２側）及び第２実装面８０ｂ側（フロントケース２１側）には、それら複数の電子部品が実装される。なお、第２実装面８０ｂは、第１実装面８０ａの反対側の実装面である。主回路基板８０には、所定位置に回路（図示せず）が配線されており、複数の電子部品は、所定の組み合わせにより回路ブロック（図示せず）などを形成する。
【００３８】
図５においては、複数の電子部品のうち、接続部であるコネクタＫのみを図示している。コネクタＫは、主回路基板８０の第１実装面８０ａに設けられ、収納部８１及び電気接点部（図示せず）等から構成される。コネクタＫにおいて、メモリカードＭの内部のメモリ部等と、主回路基板８０上の電子部品（例えば、ＣＰＵ等）とが、接続部を介して接続される。
【００３９】
シールドケース７０の約半分の長さを有する主回路基板８０は、シールドケース７０における連結部４寄りの約半分の領域に配設される。従って、シールドケース７０における操作部側筐体２の連結部４とは反対側の約半分の領域には、主回路基板８０は配設されていない。
【００４０】
シールドケース７０は、主回路基板８０の第２実装面８０ｂ側に実装された複数の電子部品を覆う部材である。シールドケース７０は、導電性の部材からなり、主回路基板８０における回路ブロックを外部の電磁波から遮蔽するために設けられる。また、シールドケース７０は操作部側筐体２の強度を向上させる役目も果たす。
【００４１】
シールドケース７０の上面７０ａ側（操作部側筐体２の前面２ａ側）には、上面７０ａ側に起立する上面側リブ７１が設けられている。また、シールドケース７０の下面側（操作部側筐体２の背面２ｂ側）には、下面側に起立する下面側リブ７３が形成されている。シールドケース７０は、強度を確保する観点から金属から形成されていることが好ましいが、インサート成形により部分的に合成樹脂から形成することもできる。
【００４２】
キー基板６０は、シールドケース７０の上面７０ａ側に積層配置され、複数のキースイッチ６１〜６３を有する。キー基板６０は、複数の絶縁層（絶縁フィルム）の間に配線を挟み込んで形成されているフレキシブル基板である。キー基板６０は、キー部材５０側に、キートップとしての機能設定操作キー１３、入力操作キー１４及び決定操作キー１５にそれぞれ対応して、複数のキースイッチ６１、６２、６３を備える。キースイッチ６１、６２、６３は、椀状に湾曲して立体的に形成された金属板のメタルドームを有する。メタルドームは、その椀状形状の頂点が押圧されると、キー基板６０の表面に印刷された電気回路（図示せず）に形成されるスイッチ端子に接触して、電気的に導通するように構成される。
【００４３】
キー部材５０は、キー基板６０に積層配置され、複数のキースイッチ６１、６２、６３を押圧可能な押し子と、操作面を有するキートップとが、弾性を有するシリコンなどで構成されたシートに設けられて構成されている。
【００４４】
キー部材５０は、シリコンゴム製の基体シート５１の表面に操作キー群１１のキートップが接着剤により貼り付けられて構成される。キー部材５０における操作キー群１１を構成する機能設定操作キー１３、入力操作キー１４及び決定操作キー１５は、キー基板６０におけるキースイッチ６１、６２、６３と対向する位置に配置されると共に、フロントケース２１に形成されるキー孔１３ａ、１４ａ、１５ａから露出するように配置される。この露出した機能設定操作キー１３の押圧面、入力操作キー１４の押圧面及び決定操作キー１５の押圧面を押し下げるように押圧されることで、対応するキースイッチ６１、６２、６３それぞれに設けられるメタルドームにおける椀状形状の頂点は、スイッチ端子に接触して電気的に導通する。
【００４５】
バッテリＱは、リアケース２２のバッテリ収納部２３に収納され、バッテリ収納部２３がバッテリリッド２４によって封鎖されることにより、操作部側筐体２に装着される。
【００４６】
主回路基板８０とバッテリＱとは、操作部側筐体２を平面視した状態（操作部側筐体２を厚み方向に視た状態）において互いに重なることなく、操作部側筐体２の長手方向に配列している。バッテリＱは、シールドケース７０の下面における主回路基板８０が配置されていない領域に対向するように、配置される。
【００４７】
次に、操作部側筐体２に形成される凹部９について、図６及び図７を参照しながら説明する。図６及び図７に示すように、凹部９は、操作部側筐体２の長手方向Ｙに沿うように、縦長状に形成されている。凹部９は、操作部側筐体２のリアケース２２の側面Ｘ１の端部に形成される。凹部９は、リアケース２２の操作部側筐体における上端部側に形成される。
【００４８】
図７に示すように、凹部９は、第１の面９０と、第２の面９１と、第３の面９２と、第４の面９３と、を備える。第１の面９０は、長手方向Ｙに延び、ねじ部材２５の挿入方向と直交する方向に延びるように形成される。第２の面９１は、長手方向に延び、第１の面９０と交差する。第３の面９２は、凹部９の長手方向における一端側に形成され、第１の面９０及び第２の面９１と交差する。第４の面９３は、凹部９の長手方向における他端側に形成され、第１の面９０及び第２の面９１と交差する。第３の面９２は、第１ねじ孔９５に隣接する。第４の面９３は、第１開口部９４に隣接する。このように、凹部９は、上述の４面から構成され、操作部側筐体２の幅方向Ｘにおける断面が略Ｌ字状に形成される。
【００４９】
第１の面９０には、第１ねじ孔９５と、第２開口部９６と、案内部９７と、が形成される。第１ねじ孔９５は、第１の面９０における第３の面９２側の端部に形成される。第１ねじ孔９５には、フロントケース２１とリアケース２２とを接合させるねじ部材２５が挿入される。第２開口部９６は、第１の面９０の幅方向Ｘにおける第２の面９１側と反対側の端部に形成される。第２開口部９６は、矩形状に形成され、第１キャップ１００の腕部１１０が挿入される。また、第２開口部９６は、凹部９の長手方向Ｙにおいて、第１ねじ孔９５と第１開口部９４との間に形成される。案内部９７は、第２開口部９６の第２の面９１側に形成される。案内部９７は、メモリカードＭについての情報を提示する。
【００５０】
第１の面９０には、更に、複数の第１嵌合凹部９８が形成される。第１嵌合凹部９８は、第２開口部９６が形成される側（幅方向Ｘにおける第２の面９１側と反対側）の端部に形成される。第１嵌合凹部９８は、第１キャップ１００に設けられる後述の第１嵌合凸部１０５に嵌合される。
【００５１】
第２の面９１には、第１開口部９４が形成される。第１開口部９４は、第１の面９０と交差する側の端部に形成される。第１開口部９４は、コネクタＫの収納部８１と連通し、コネクタＫを露出させる。なお、第１開口部９４は、第２の面９１における第４の面９３側に形成される。従って、第１ねじ孔９５と第１開口部９４とは、凹部９において、それぞれが互いに長手方向Ｙに離間して形成される。
【００５２】
第２の面９１には、更に、第２嵌合凹部９９が形成される。第２嵌合凹部９９は、第１開口部９４の第１の面９０側と反対側において、第１開口部９４の長手方向Ｙの端部に形成される。第２嵌合凹部９９は、第１キャップ１００に設けられる後述の第２嵌合凸部１０６に嵌合される。
【００５３】
次に、凹部９を覆う第１キャップ１００について、図８を参照しながら詳述する。図８に示すように、第１キャップ１００は、縦長状の蓋部１０１と、蓋部１０１から延出する腕部１１０と、を備える。なお、蓋部１０１及び腕部１１０は、可撓性を有する弾性材料により形成されている。
【００５４】
蓋部１０１は、凹部９と嵌合することにより、リアケース２２の外表面の一部を構成する。つまり、蓋部１０１は、嵌合時にリアケース２２の外表面に沿うように形成されると共に、凹部９と嵌合可能に形成される。本実施形態においては、凹部がリアケース２２の側縁に設けられるため、蓋部１０１は、外表面が第１の面９０と対向する第１対向面１０１ａと第２の面と対向する第２対向面１０１ｂとを有する略Ｌ字状に形成される。
【００５５】
蓋部１０１の内面側には、長手方向における両端に第１壁部１０２（壁部）と第２壁部１０３（壁部）とが立設されている。第１壁部１０２は、凹部９との嵌合時における第３の面９２側に形成される。一方、第２壁部１０３は、嵌合時における第４の面９３側に形成される。これにより、第１壁部１０２は、嵌合時において、その側面１０２ａが対向する第３の面９２と当接する。同様に、第２壁部１０３は、嵌合時において、その側面１０３ａが対向する第４の面９３と当接する。
【００５６】
また、蓋部１０１の内面には、複数のリブ１０４が立設されている。リブ１０４は、第１対向面１０１ａの内面側における略中央に設けられており、凹部９との嵌合時において、第１の面９０と当接する。
【００５７】
さらに、第１対向面１０１ａの第２対向面１０１ｂと連結される側と反対側の端部には、第２嵌合凸部１０６が形成されている。第２嵌合凸部１０６は、第１対向面１０１ａの端部から延出するように形成される。第２嵌合凸部１０６は、第２の面９１に形成された前述の第２嵌合凹部９９に嵌合する。また、第１対向面１０１ａの第２対向面１０１ｂと連結される側と反対側の端部の蓋表面には、切り欠き部１０７が形成されている。切り欠き部１０７は、第１対向面１０１ａの外表面の一部を切り欠くことにより形成される。
【００５８】
第２対向面１０１ｂには、第１対向面１０１ａと連結される側と反対側の端部に複数の第１嵌合凸部１０５が形成されている。第１嵌合凸部１０５は、第２対向面１０１ｂから延出するように形成されている。第１嵌合凸部１０５は、第１の面９０に形成された前述の第１嵌合凹部９８に嵌合する。
【００５９】
第２対向面１０１ｂには、第２対向面１０１ｂから延出する帯状の腕部１１０が設けられている。腕部１１０には、その先端に係合爪１１１が形成されている。第１キャップ１００は、腕部１１０を第２開口部９６に挿入させることで取り付けられ、係合爪１１１が第２開口部９６を構成する周壁と係合することにより、リアケース２２に係止される。このように腕部１１０がリアケース２２に取り付けられることにより、第１キャップ１００は、第１開口部９４と第１ねじ孔９５とを被覆する閉状態と、第１開口部９４と第１ねじ孔９５とを被覆しない開状態と、の間で移動可能になる。
【００６０】
本実施形態の携帯電話機１によれば、以下に示す作用効果が奏される。
本実施形態の携帯電話機１によれば、メモリカードＭを挿脱させる第１開口部９４が形成される凹部９に、フロントケース２１とリアケース２２とを接合させるねじ部材２５の第１ねじ孔９５が形成される。そのため、第１開口部９４を被覆するための第１キャップ１００を用いて第１開口部９４及び第１ねじ孔９５を被覆することが可能になる。これにより、第１ねじ孔９５に嵌め込むための第２キャップ２６を別途使用する必要がなくなり、部品点数を減少させることが可能になる。また、組み立て工数を削減させることが可能になる。
【００６１】
また、本実施形態の携帯電話機１によれば、第１開口部９４とねじ孔２５とは、凹部９において、長手方向Ｙに互いに離間して形成される。そのため、１つの凹部９に第１開口部９４及びねじ孔２５を形成した場合においても、凹部９における剛性の低下を抑制することが可能になる。つまり、第１開口部９４とねじ孔２５とが近接して形成された場合に生じ得る凹部９の破損等を抑制することが可能になる。これにより、第１キャップ１００を被覆する凹部９に第１開口部９４およびねじ孔９５を形成することが可能になる。
【００６２】
また、本実施形態の携帯電話機１によれば、第１キャップ１００が第１開口部９４と第１ねじ孔９５とを被覆する閉状態と、第１開口部９４と第１ねじ孔９５とを被覆しない開状態との間で移動可能に取り付けられる。つまり、従来に比して第１ねじ孔９５を被覆するキャップを大きくすることが可能となる。そのため、容易に第１キャップ１００の閉状態を解除させることが可能となる。これにより、筐体を傷つけることなく、キャップの取外しを行うことが可能になる。例えば、従来の携帯電話機においてねじ孔に嵌め込まれたキャップを取り外す場合に生じ得る、筐体やキャップ自体の損傷を防止することが可能になる。
【００６３】
また、本実施形態の携帯電話機１によれば、凹部９において、第１開口部９４と第１ねじ孔９５とが互いに離間する方向に形成されると共に、第１開口部９４と第１ねじ孔９５との間に第２開口部９６が形成される。つまり、第２開口部９６は、第１開口部９４と第１ねじ孔９５との間の形成され、そこに腕部１１０が取り付けられる。そのため、例えば、第１キャップ１００と凹部９との嵌合を解除した状態（開状態）において、第１開口部９４及び第１ねじ孔９５が腕部１１０により塞がれることがなくなる。これにより、第１開口部９４におけるメモリカードの挿脱、及び第１ねじ孔９５におけるねじ部材の挿入を妨げることなく第１キャップ１００を設けることが可能になる。
【００６４】
また、本実施形態の携帯電話機１によれば、第１キャップ１００には、第３の面側（第１ねじ孔９５が設けられる側）に、閉状態において第３の面９２と当接する第１壁部１０２が設けられる。これにより、例えば、第１ねじ孔９５の近傍のように凹部と嵌合する嵌合爪を設けることができない場合においても、第１壁部１０２の側面１０２ａが第３の面９２と当接して係合する為、第１キャップ１００の端部（第１壁部１０２側）の浮きを防止することが可能になる。また、端部（第１壁部１０２側）における剛性を向上させることが可能になる。
【００６５】
また、本実施形態の携帯電話機１によれば、第１開口部９４と第１ねじ孔９５との間、すなわち、第１の面９０における第２開口部９６と第２の面９１との間に案内部９７が設けられる。そのため、第１開口部９４と第１ねじ孔９５との間を有効に利用することが可能になる。
【００６６】
また、本実施形態の携帯電話機１によれば、凹部９には、第１開口部９４に加え、第１ねじ孔９５が形成される。そのため、凹部９が大きく形成される。これにより、例えば、メモリカードＭを挿脱する場合においても、メモリカードＭを挿脱する間口が大きくなるためメモリカードＭの挿脱が容易となる。
【００６７】
また、本実施形態によれば、筐体の外表面に沿うように形成された第１キャップ１００を用いて第１開口部９４及び第１ねじ孔９５を被覆させることにより、統一の取れた外観を構成させることが可能になり、外観の美しさや高級感等のデザイン性を向上させることができる。
【００６８】
以上、本発明の一実施形態について説明したが、本発明は前述した実施形態に制限されるものではなく、適宜変更が可能である。
【００６９】
本発明は、携帯電話機以外の携帯電子機器に適用することができ、また携帯電子機器以外の電子機器にも適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
【００７０】
また、携帯電子機器以外の電子機器としては、例えば、電子辞書、電卓、電子手帳、デジタルカメラ、ビデオカメラ、ラジオ、デスクトップパソコン、オーディオ機器、等が挙げられるが、これらのみに限定されるものではない。
【００７１】
また、本発明の電子機器は、連結部４が表示部側筐体３と操作部側筐体２とを開閉軸Ｘを中心に開閉可能に連結しているが、連結部４は、表示部側筐体３と操作部側筐体２とを開閉軸Ｘを中心に開閉可能に連結すると共に、開閉軸Ｘに直交する回動軸を中心に回動可能に連結するいわゆる２軸ヒンジ機構を備えていてもよい。また、本発明の電子機器は、前記実施形態のような折り畳み式ではなく、操作部側筐体２と表示部側筐体３とを重ね合わせた状態から一方の筐体を一方向にスライドさせるようにしたスライド式の電子機器であってもよい。また、操作部側筐体２と表示部側筐体３との重ね合せ方向に沿う軸線を中心に一方の筐体を回転させるようにした回転式（リボルバ）の電子機器であってもよい。
【００７２】
本発明は、前記実施形態においてはメモリカードＭを挿入する第１開口部９４が形成される凹部９に第１ねじ孔９５を設け、第１開口部９４及び第１ねじ孔９５を被覆する構成としたが、これに制限されず、例えば、外部機器（例えば、ホスト装置）と通信を行うためのインターフェースが配置される近傍に第１ねじ孔９５を設け、インターフェース及びねじ孔をキャップにより覆う構成としてもよい。
【図面の簡単な説明】
【００７３】
【図１】電子機器としての携帯電話機１を開いた状態における正面側から見た外観斜視図である。
【図２】携帯電話機１を開いた状態における裏面側から見た外観斜視図である。
【図３】携帯電話機１を折り畳んだ状態を表示部側筐体から見た外観斜視図である。
【図４】携帯電話機１を折り畳んだ状態を操作部側筐体から見た外観斜視図である。
【図５】操作部側筐体２の分解斜視図である。
【図６】操作部側筐体２のリアケース２２に形成された凹部９の正面図である。
【図７】操作部側筐体２のリアケース２２に形成された凹部９の斜視外観図である。
【図８】蓋部材である第１キャップ１００の内面側を示す斜視外観図である。
【符号の説明】
【００７４】
１    携帯電話機（電子機器）
２    操作部側筐体
３    表示部側筐体
２５    ねじ部材
９    凹部
フロントケース    ２１
リアケース    ２２
９４    第１開口部
９５    第１ねじ孔部
９６    第２開口部（被取付部）
１００    第１キャップ（蓋部材）
１１０    腕部（取付部）
Ｋ    コネクタ（接続部）
Ｍ    メモリカード（外部装置）
【図１】
2009246551.tif 000003
【図２】
2009246551.tif 000004
【図３】
2009246551.tif 000005
【図４】
2009246551.tif 000006
【図５】
2009246551.tif 000007
【図６】
2009246551.tif 000008
【図７】
2009246551.tif 000009
【図８】
2009246551.tif 000010